(57)【要約】【課題】大きな電池を必要とせず、狭いスペースにおいても設置することが可能なガス検針ロボットを提供する。【解決手段】本発明のガス検針ロボット１は、既設のガスメータと通信可能に接続され、無線通信を使用して外部機器と通信を行う通信機器を備えたガス検針ロボットであって、ガスメータとの間でガス指針値に関するデータの通信を行う通信線が接続される端子と、外部機器とデータの送受信を行う通信機器と、ガスメータ及び外部機器との間の信号の処理及びデータの記憶を行う制御部と、ガス検針ロボットを駆動する電池と、制御部及び電池を内部に収納し、アンテナ及び端子を内部又は表面に設置するケーシングとを備え、ケーシング表面に太陽光発電パネルを備え、電池及び太陽光発電パネルは自身が駆動するための電力を供給する。【選択図】図１
2020173096.tif 000002
【特許請求の範囲】
【請求項１】
既設のガスメータと通信可能に接続され、無線通信を使用して外部機器と通信を行う通信機器を備えたガス検針ロボットであって、
前記ガスメータとの間でガス指針値に関するデータの通信を行う通信線が接続される端子と、
前記外部機器とデータの送受信を行う無線機器と、
前記ガスメータ及び前記外部機器との間の信号の処理及びデータの記憶を行う制御部と、
ガス検針ロボットを駆動する電池と、
前記制御部及び前記電池を内部に収納し、前記無線機器及び前記端子を内部又は表面に設置するケーシングとを備え、
前記ケーシング表面に太陽光発電パネルを備え、
前記電池及び前記太陽光発電パネルは自身が駆動するための電力を供給する、ガス検針ロボット。
【請求項２】
前記ケーシング内に前記制御部を設置するための基板をさらに備え、
前記基板には、前記電池が設置される部位に対応する位置に、該基板の一部に切り欠きが設けられており、
前記電池は前記切り欠きにおいて前記基板が配設される高さよりも低い位置に配設される、請求項１に記載のガス検針ロボット。
【請求項３】
前記ケーシングの内部に設置される大気の温度と、圧力と、湿度等の環境情報と、加速度との少なくともいずれか一つ以上に関する情報を検知可能なセンサをさらに備え、
前記センサは、前記ケーシングの裏面に設けられた吸気口を介して導入された外気に関する情報を計測する、請求項１に記載のガス検針ロボット。
【請求項４】
前記ケーシングの裏面には複数のリブが設けられており、前記ケーシングの端部から略平行に設けられる二本のリブによって、前記吸気口に連通する外気導入溝が形成される、請求項３に記載のガス検針ロボット。
【請求項５】
請求項１〜４のいずれか一項に記載のガス検針ロボットを用いたガス自動検針システムであって、
前記ガス検針ロボットと、ガス事業者に設置される警告灯と、需要家が所有する通信可能なデバイスと、前記ガス検針ロボット、前記警告灯及び前記デバイスと通信可能なサーバとによって構成され、
前記ガス検針ロボットは、前記ガスメータから異常があったことを通知されると、異常があったことをサーバに通報する手段を有し、
前記サーバは、前記ガス検針ロボットからの異常の通報を受け、前記需要家が所有する前記デバイスへガスメータに異常が発生したことを通報する手段、及び、当該需要家にガスを供給するガス事業者に設置される警告灯へ通報を行う手段を有する、ガス自動検針システム。
【請求項６】
アンテナが、ケーシングの外部に設けられている、請求項１に記載のガス検針ロボット。
【請求項７】
前記基板の下側が二本のビスにより固定され、前記切り欠きが、ケーシングの下面に形成される嵌合部に嵌合される、請求項２に記載のガス検針ロボット。
【請求項８】
ケーシングの上側の斜面沿って、前記太陽光発電パネルが設けられる、請求項１に記載のガス検針ロボット。
【発明の詳細な説明】
【技術分野】
【０００１】
本発明は、ガス検針ロボット及びガス検針ロボットを使用したガス自動検針システムに関し、特に、ガスメータ近傍に設置し、サーバを介して各需要家やガス事業者と無線による通信を行うに好適なガス検針ロボットに関するものである。
【背景技術】
【０００２】
一般家庭等の需要家におけるガス漏れを検知するために、ガスメータ付近に電話回線を利用した自動通報装置が設置されている。この自動通報装置はガス漏れを検知すると、電話回線を通じて、自動で集中監視センターに通報するようになっている。集中監視センターは通報を受け、ガス遮断弁の開閉制御等、必要な制御を遠隔で行うことで、問題を解決するようになっている。
【０００３】
従来、電話回線を用いた通信ではなく、無線通信機能を有する信号中継器をガスメータ近傍に設置し、無線回線によるインターネットを利用して集中監視センターやガス事業者等との通信を行うシステムが考えられている（特許文献１）。
【先行技術文献】
【特許文献】
【０００４】
【特許文献１】特許第５７２５７２９号公報
【０００５】
特許文献１に開示されるような無線通信機器を用いることで、各家庭に設置されるガスメータと集中監視センターとをインターネットを介して接続することができ、集中監視センターからの遠隔操作により、災害時に緊急遮断弁の閉弁操作を迅速に行う等の制御が可能となる。また、災害時等の制御だけでなく、通常時においても、定期的にガスメータのガス流量や使用量に関する情報のやり取りを行うことでガス流量の検針を行うことができる。それによって、作業員による現場での検針作業を削減でき、経費の削減にも寄与することができる。
【発明の概要】
【発明が解決しようとする課題】
【０００６】
ところで、このような無線通信機器を使用したシステムを構築するためには、常に無線通信を行うための電力供給が必要となる。無線通信機器が設置されるのはガスメータ近傍である屋外であるため、一般配線からの電力供給は困難であり電池が必要となる。
【０００７】
本発明は、このような要望に鑑みてなされたものであり、電池交換等の作業コストを削減が可能なガス検針ロボットを提供することを目的とする。
【課題を解決するための手段】
【０００８】
本発明では、以下のような解決手段を提供する。
【０００９】
第１の特徴に係る発明は、本発明のガス検針ロボットは、既設のガスメータと通信可能に接続され、無線通信を使用して外部機器と通信を行う通信機器を備えたガス検針ロボットであって、ガスメータとの間でガス指針値に関するデータの通信を行う通信線が接続される端子と、外部機器とデータの送受信を行う無線機器と、ガスメータ及び外部機器との間の信号の処理及びデータの記憶を行う制御部と、ガス検針ロボットを駆動する電池と、制御部及び電池を内部に収納し、無線機器及び端子を内部又は表面に設置するケーシングとを備え、ケーシング表面に太陽光発電パネルを備え、電池及び太陽光発電パネルはロボット自身が駆動するための電力を供給する、ガス検針ロボットを提供する。
【００１０】
第１の特徴に係る発明によれば、ガス検針ロボットが、電池だけでなく太陽光発電パネルを備えているため、通信に必要な電力をガス検針ロボット自身で賄うことができるようになる。また、機器全体としての寿命が長くなり、電池交換等の作業コストを削減することができる。さらに、仮に電池からの電力が供給不能になったとしても、太陽光パネルによる発電で電力を供給することができるため、電池交換を促す信号や、現在の状況に関する情報を集中監視センターに送信することができ、保守の容易なシステムを構築することが可能となる。
【００１１】
第２の特徴に係る発明は、第１の特徴に係る発明であって、ケーシング内に制御部を設置するための基板をさらに備え、記基板には、電池が設置される部位に対応する位置に、基板の一部を切除した切り欠きが設けられており、電池は切り欠きにおいて基板が配設される高さよりも低い位置に配設される、ガス検針ロボットを提供する。
【００１２】
第２の特徴に係る発明によれば、基板において切り欠きを設けた箇所に電池を設置するため、基板上に電池を設置する場合と比して、電池の設置の高さを削減することとなり、その分、ケーシングの厚みを低減することができ、狭いスペースであっても設置が可能なガス検針ロボットを提供することが可能となる。
【００１３】
第３の特徴に係る発明は、第１の特徴に係る発明であって、ケーシングの内部に設置される大気の温度と、圧力と、湿度等の環境情報と、加速度との少なくともいずれか一つ以上に関する情報を検知可能なセンサをさらに備え、センサは、ケーシングの裏面に設けられた吸気口を介して導入された外気に関する情報を計測する、ガス検針ロボットを提供する。
【００１４】
第３の特徴に係る発明によれば、センサがケーシングの裏面に設けられた吸気口を介して外気を導入するため、センサが直接的に風雨にさらされることなく、耐久性や耐水性に優れた検知を実施することができるガス検針ロボットを提供することが可能となる。
【００１５】
第４の特徴に係る発明は、第３の特徴に係る発明であって、ケーシングの裏面には複数のリブが設けられており、ケーシングの端部から略平行に設けられる二本のリブによって、吸気口に連通する外気導入溝が形成される、ガス検針ロボットを提供する。
【００１６】
第４の特徴に係る発明によれば、ケーシングの裏面に略平行に設けられた二本のリブによって吸気口に連通する外気導入溝を形成するため、裏面に吸気口を設けたとしても、吸気口がケーシング自体によって密閉されることなく、外気を吸気口まで導入することができるようになり、その結果、外気に関する情報を正確に計測できる。
【００１７】
第５の特徴に係る発明は、第１ないし第５のいずれかの特徴に係る発明を用いたガス自動検針システムであって、ガス検針ロボットと、ガス事業者に設置される警告灯と、需要家が所有する通信可能なデバイスと、ガス検針ロボット、警告灯及びデバイスと通信可能なサーバとによって構成され、ガス検針ロボットは、ガスメータから異常があったことを通知されると、異常があったことをサーバに通報する手段を有し、サーバは、ガス検針ロボットからの異常の通報を受け、需要家が所有するデバイスへガスメータに異常が発生したことを通報する手段、及び、需要家にガスを供給するガス事業者に設置される警告灯へ通報を行う手段を有する、ガス自動検針システムを提供する。
【００１８】
第５の特徴に係る発明によれば、２４時間体制でスタッフを待機させる集中監視センターを介することなくガスの監視を自動で行うことが可能となり、人的コストを大幅に削減することが可能なガス自動検針システムを提供することが可能となる。
第６の特徴に係る発明によれば、アンテナが、ケーシングの外部に設けられていることによって、通信の感度を向上できる。
第７の特徴に係る発明によれば、基板の下側が二本のビスにより固定され、切り欠きが、ケーシングの下面に形成される嵌合部に嵌合されることで、二か所にビスを挿入するのみで基板を、ケーシングの下面に対して固定できる。
第８の特徴に係る発明によれば、ケーシングの上側の斜面沿って、太陽光発電パネルが設けられることで、太陽光を受光しやすくなる。
【発明の効果】
【００１９】
本発明によれば、大きな電池を必要とせず、狭いスペースにおいても設置することが可能なガス検針ロボット、及び、２４時間体制でスタッフを待機させる集中監視センターを介することなくガスの監視を自動で行うことが可能となり、人的コストを大幅に削減することが可能なガス自動検針システムを提供できる。
【図面の簡単な説明】
【００２０】
【図１】図１は、本実施形態に係るガス検針ロボット１の斜視図を示す。
【図２】図２は、本実施形態に係るガス検針ロボット１の正面図を示す。
【図３】図３は、本実施形態に係るガス検針ロボット１を斜め下方から見た図である。
【図４】図４は、本実施形態に係るガス検針ロボット１の内部構成を示す正面図である。
【図５】図５は、本実施形態に係るガス検針ロボット１の内部構成を示す平面図である。
【図６】図６は、本実施形態に係るガス検針ロボット１の内部構成を斜め下方から見た状態を示す。
【図７】図７は、他の実施形態に係るガス検針ロボット１の内部構成を示す正面図である。
【図８】図８は、他の実施形態に係るガス検針ロボット１の内部構成を斜め上方から見た状態を示す。
【図９】図９は、他の実施形態に係るガス検針ロボット１の内部構成を示す平面図である。
【図１０】図１０は、他の実施形態に係るガス検針ロボット１の内部構成を示す右側面図である。
【図１１】図１１は、本実施形態に係るガス検針ロボット１を使用したガス自動検針システム１００の概要を示す模式図である。
【発明を実施するための形態】
【００２１】
以下、本発明を実施するための形態について図を参照しながら説明する。なお、これはあくまでも一例であって、本発明の技術的範囲はこれに限られるものではない。
【００２２】
［ガス検針ロボット１の全体構成］
まず、図１〜図３を用いて、本実施形態に係るガス検針ロボット１の全体構成を説明する。図１はガス検針ロボット１の斜視図を、図２はガス検針ロボット１の正面図を、図３はガス検針ロボット１を斜め下方から見た図を示す。
【００２３】
本実施形態に係るガス検針ロボット１は、後述する制御部、無線機器（アンテナ）、電池等を内部に収納するケーシング１０を有する。
【００２４】
ケーシング１０には、他の機器に取り付けるための係止部１１、１２が設けられており、ねじ止め等の適宜の手段によって、図示しないガスメータ、家の壁、鉄道の河川柱等に設置することができる。また、係止部１１、１２と適合可能な冶具を使用することにより、図示しないガス配管に設置することも可能となる。
【００２５】
また、ケーシング１０の表面には、図示しないガスメータとの間でガス指針値に関するデータの通信を行う通信線が接続される端子２０が設けられている。端子２０は、ケーシング１０に設けられた図示しない端子設置孔を介して設置される。このような端子２０にガスメータとの通信線を接続することにより、ガスメータとのデータのやり取りを行うことができ、例えば、その月のガス使用量等のデータをガスメータから受信することが可能となる。
【００２６】
本実施形態においては、端子２０はケーシング１０に設けられた端子設置孔を介してケーシング１０表面に設置されているが、これに限ったものではなく、ケーシング１０の内部に設置しても構わない。
【００２７】
また、ケーシング１０には、太陽光を受けて発電を行うことができる太陽光発電パネル３０が設けられている。太陽光発電パネル３０は周知のものを使用することができる。太陽光発電パネル３０を備え、発電した電力をガス検針ロボット１の駆動のために供給することにより、ガス検針ロボット１を駆動するための電力を太陽光によりまかなうことが可能となる。
【００２８】
このような太陽光発電パネル３０は、効率的に太陽光を受光するために、なるべく陰にならない位置に設置されることが好ましい。好ましくは、ケーシング１０の前面又は上面に取り付けられることが好ましい。
【００２９】
さらには、ガス検針ロボット１が設置される場所に応じて、複数の配置パターンから選択できるようにすることが好ましい。例えば、ケーシング１０の前面及び上面の二か所に、太陽光発電パネル３０を配設可能な接続ポートを準備しておき、ガス検針ロボット１を設置する周囲の環境に応じて、一つの接続ポートを選択する。例えば、隣接する住戸の壁との距離が近い位置にガス検針ロボット１が設置されるような場合、太陽光発電パネル３０をケーシング１０の前面に配設しても太陽光を受光しにくいため、そのような場合には上面の接続ポートを選択できるようにする。
また、図９に示されるように、ケーシング１０の上側（ガスメータに取り付けられた状態で上を向く側）の斜面に沿って、太陽光発電パネル３０が設けられるようにしても良い。ケーシング１０の上側の斜面沿って、太陽光発電パネル３０が設けられることで太陽光を受光しやすくなる。
また、ケーシング１０の下側（ガスメータに取り付けられた状態で下を向く側）は、脱着されるところ、下側に太陽光発電パネル３０が設けられた場合、下側を脱着する度に、太陽光発電パネル３０と基板７０とを接続するケーブルを脱着しなければならない。
図９に示されるように、ケーシング１０の上側に太陽光発電パネル３０が設けられることで、太陽光発電パネル３０と基板７０とを接続するケーブルを脱着することなく、ケーシング１０の下側を脱着可能になる。これによって、ガス検針ロボット１の内部の解放およびケーシング１０の下側の脱着が容易になる。
【００３０】
また、ケーシング１０の裏面には、大気の温度、圧力、湿度等の環境情報、及び、加速度に関する情報を検知可能な図示しないセンサ４０に外気を導入するための吸気口１３が設置される。センサ４０はケーシング１０内部に設置されており、ケーシング１０の裏面に設けられた吸気口１３を介して導入された外気に関する情報を計測する。
【００３１】
センサ４０によって加速度を検知することにより、ガス検針ロボット１自体が斜めに傾いていることを検知できる。そのことにより、ガス検針ロボット１をブロック塀、土砂崩れの可能性がある場所に打ち込んだ木の杭、ないしは電柱に取り付ける場合に、斜めに傾斜して取り付けてしまっていることを検知することができる。
【００３２】
また、ガス検針ロボット１を鉄道の河川柱に取り付ける場合、加速度を逐一検知することで、事故や地震が起きたことを検知することができる。したがって、このようなガス検針ロボット１を複数の河川柱に取り付けることで、どの河川柱が被害にあっているかを即座に検知することが可能となり、早期の復旧や二次災害の防止に資することになる。
【００３３】
ケーシング１０の裏面には複数のリブが設けられており、ケーシング１０の端部から略平行に設けられる二本のリブ１４によって、吸気口１４に連通する外気導入溝１５が形成される。ケーシング１０の端部から外気導入溝１５が形成されることにより、吸気口１３がケーシング１０自体によって密閉されることなく、外気を吸気口１３まで導入することができ、外気の圧力を正確に計測することができる。
【００３４】
つまり、本実施形態におけるガス検針ロボット１は、ガス流量の検知だけでなく、外気や加速度に関する情報を定期的に取得し、集中監視センターに送信する機能を持つ。
【００３５】
ここで、外気に関する情報を取得するためのセンサをケーシング１０表面にむき出しに設置した場合、風雨にさらされることとなり、耐久性や防水性の面で課題が生じる。そのため、センサをカバーする防護壁が必要になるが、防護壁によってセンサを覆う場合、外気からセンサへと空気を取り入れることができないという問題があった。
【００３６】
そこで、本実施形態に係るガス検針ロボット１においては、ケーシング１０の裏面に吸気口１３を設け、吸気口１３から外気を導入する構成とした。ケーシング１０の裏面はガス検針ロボット１の接地面になるため、直接的に風雨にさらされることを防止できる。
【００３７】
さらに、ケーシング１０の端部から略平行に設けられる二本のリブ１４によって、吸気口１４に連通する外気導入溝１５を形成することにより、吸気口１３がケーシング１０自体によって密閉されることなく、外気を吸気口１３まで導入することができるようになる。その結果、外気に関する情報を正確に計測できる。
【００３８】
なお、センサ４０は、ケーシング１０の裏面に設けられた吸気口１３を介して、ケーシング１０内部の基板７０上に設置される構造となっており、吸気口１３を介してケーシング１０の内部と外部とが連通されるものである。そのため、吸気口１３の表面は、空気は通すが水は通さないフィルムによって被覆されることが好ましい。このようにすることで、正確に環境情報を計測しつつ、センサ４０が雨水にさらされることやケーシング１０内に雨水が浸入することを防止することができる。
【００３９】
また、ケーシング１０の裏面には、後述するアンテナ５０を追設するためのリブ切り欠き部１４ｔが設けられており、リブが設置されていない面を利用して、アンテナを設置することができる。
【００４０】
［ガス検針ロボット１の内部構成］
次に、図４〜図６を用いて、本実施形態に係るガス検針ロボット１の内部構成について説明する。図４は正面図を、図５は平面図を、図６は斜め下方から見た図を示す。
【００４１】
本実施形態に係るガス検針ロボット１は、ケーシング１０の内部に、センサ４０、アンテナ５０、電池６０、基板７０、制御部８０、を備える。
【００４２】
アンテナ５０は、後述するガス自動検針システム１００を構成するサーバ１１０とデータの送受信を行うために設けられており、本願発明における通信機器を構成するものである。アンテナ５０が設けられていることにより、図示しない需要家、集中監視センター又はガス事業者等とサーバ１１０を介して、無線回線を利用したインターネット通信を行うことができ、ガス検針ロボット１が設置されている住戸のガス使用量や集中監視センターからの遮断弁の開閉指令等に関する信号のやりとりを迅速に行うことが可能となる。
【００４３】
本実施形態においては、アンテナ５０はケーシング１０の内部に設置されているが、これに限ったものではなく、ケーシング１０の表面に設置しても構わない。なお、アンテナを二か所に設ける必要がある場合等、追加のアンテナが必要になる場合には、上述の通り、ケーシング１０の背面にリブ切り欠き部１４ｔを設け、ケーシング１０の背面に追加のアンテナを設置することができる。
また、図７〜図９に示されるように、棒状の一対のアンテナ９０をケーシング１０の外部に設けるようにしても良い。アンテナ９０がケーシング１０の外部に設けられることで、通信の感度を向上できる。
アンテナ９０は、送受信されるデータを伝送するケーブル９１を介して、ケーシング１０の内部のアンテナ取付用のコネクタと連結される。アンテナ９０を介して送受信される伝送されるデータは、ケーブル９１を介してコネクタへと伝送される。
また、外部のアンテナ９０と連結されるケーブル９１は、ケーシング１０の背面に形成される孔を介してケーシング１０の背面側（下側（（ガスメータに取り付けられた状態で下を向く側）））から内部に向かい、ケーシング１０内部のコネクタと連結される。
【００４４】
電池６０はガス検針ロボット１自身を駆動させるための電力を供給するものであり、後述する基板７０の基板切り欠き７０ｔに設置される。
【００４５】
そして、本実施形態に係るガス検針ロボット１は、自身を駆動するための電源として、電池６０及び上述の太陽光発電パネル３０を備える。太陽光発電パネル３０が発電可能の際には、太陽光発電パネル３０で発電した電力によって駆動のための電力をまかない、夜間や悪天候等の際には電池６０によって電力をまかなう。
【００４６】
このように、自身を駆動させるための電力供給源として、電池６０だけでなく太陽光発電パネル３０を有ることにより、従来よりも小型の電池で機器を構成することができる。そのため、ガス検針ロボット１の設置容積を削減することができ、これまで設置することが叶わなかった狭いスペースであってもガス検針ロボット１を設置することが可能となる。また、機器全体としての寿命が長くなり、電池交換等の作業コストを削減することができる。特に、ガスメータの検針を頻繁に行うと電池６０の消耗が速くなるが、太陽光発電パネル３０を備えることにより、電池６０の消耗を抑えることができる。さらに、仮に電池６０からの電力が供給不能になったとしても、太陽光発電パネル３０による発電で、自身を駆動するための電力を供給することができるため、電池交換を促す信号や、現在の状況に関する情報をサーバを介して集中監視センターに送信することができ、保守の容易なシステムを構築することが可能となる。
【００４７】
基板７０は、センサ４０、アンテナ５０及び制御部８０が設置される土台となるものである。
【００４８】
基板７０には、電池６０が設置される部位に対応する位置に、基板７０の一部を切除した基板切り欠き７０ｔを設けられており、電池６０は基板切り欠き７０ｔにおいて基板７０が配設される高さよりも立面視において低い位置に配設されている。つまり、ケーシング１０内において電池６０が設置される部位には基板７０が配置されないようになっている。そのため、基板上に電池６０を配設する場合と比して、電池６０の設置高さを立面視において低くすることができ、その分、ケーシング１０の厚みを低減することができる。したがって、これまで設置することが叶わなかった狭いスペースであっても設置することが可能となる。
なお、図７、図８、図１０に示されるように、基板７０の下側が二本のビス７１，７２により固定され、基板切り欠き７０ｔがケーシングの下面に形成されるコの字形状の嵌合部７５に嵌合されるようにしても良い。嵌合部７５に基板切り欠き７０ｔが嵌合され、基板７０に下側がビス７１，７２により固定されることによって、ビス７１，７２のみで基板７０を、ケーシング１０の下面に対して固定できる。
【００４９】
制御部８０は、ガスメータ及び外部機器との間の様々な信号の処理及びデータの記憶を行うものであり、基板７０上に配設されている。
【００５０】
制御部８０を構成する端子や回路の種類としては、電池６０や太陽光発電パネル３０から電力の供給を受けるためのコネクタ、メンテナンスの際にＰＣとデータのやり取りをするケーブルを接続するインターフェース、ドアセンサ、人感センサ、亀裂センサなど外部と連携する際のケーブルを接続する端子、テストモードにしテスト電波を発信するためのスイッチ、各種データの記憶及び処理を行う回路部などが挙げられる。
【００５１】
また、電力供給用のコネクタとして、一般家庭用のＡＣアダプタからの電力供給を受けるためのコネクタを併せて設置するようにしてもよい。そして、電力供給を電池６０を使用するかＡＣアダプタからの電力供給を受けることによって行うか選択するようにしてもよい。
【００５２】
なお、制御部８０に記憶されるデータとしては、ガス検針ロボット１のＩＤ、電力供給が電池またはＡＣアダプタのいずれかを示すデータ、などが挙げられる。なお、制御部８０に顧客ＩＤ、取付位置の緯度経度がさらに記憶されるようにしても良い。
【００５３】
このようなデータは、ガス検針ロボット１の制御部８０に記憶されるとともに、集中監視センターのサーバや、クラウドのサーバ、センターのサーバにも記憶される。サーバの種別は特に限定はされず、想定されるあらゆる種類のサーバが含まれる。
【００５４】
集中監視センターのサーバには、各所に設置されるガス検針ロボット１に記憶される上記データがデータベースとして記憶されるとともに、各ガス検針ロボット１のセンサ４０で計測される温度、湿度、気圧が計測日時とともにガス検針ロボット１のＩＤに紐づけて記憶されデータベース化される。
【００５５】
なお、顧客ＩＤについては、ガス事業者が顧客データベースを持つことで管理するようにしてもよい。また、顧客情報漏えい防止の観点から、顧客データベースはクラウド上では管理しない構成にしても良い。
【００５６】
本実施形態に係るガス検針ロボット１は、以上のように構成されているため、ガスメータからの通知を、アンテナ５０を介してサーバ１１０に通知し、当該サーバ１１０を介して需要家のスマートフォン等の携帯端末や、家庭に設置されるモニタに通知することができ、ガスの遮断を未然に防止する。すなわち、ガスメータが送信する、ガス遮断警告をスマートフォン等に通知することで、ガスの使用を一度やめてもらう事で、ガスの遮断を未然に防止する事が可能になる。そして、ガス事業者は需要家からの問い合わせや出動の依頼を現象させることができ、人員の削減にも寄与できる。
【００５７】
また、サーバ１１０は、本実施形態に係るガス検針ロボット１から送信されるガスメータの検針データを元にガス料金の請求金額を計算し需要家のスマートフォン等の携帯端末や、家庭に設置されるモニタに通知する。
【００５８】
さらに、ガスメータからのセキュリティデータ発呼の場合に、アンテナ５０からサーバ１１０を介してガス事業者と通信を行い、ガス事業者に設置している回転警告灯や点滅警告灯等の警告灯を作動させるようにしてもよい。このような警告灯は、警告灯、無線通信モジュール及びマイコンによって構成されるため、ＰＣを必要とせずに警告灯を鳴らすことができる。
【００５９】
なお、本実施形態に係るガス検針ロボット１は、単独で集中監視センターのサーバ等、外部機器との通信が可能であるが、別の実施形態として、外部機器との通信を家庭内に設けたゲートウェイに行わせ、ガス検針ロボット１は家庭内のゲートウェイとの間で通信を行うように構成してもよい。このような場合、ガス検針ロボット１は、ガスメータ近傍に設置するだけでなく、風呂場や玄関先の人感センサやインターホン等にも設置するようにしてもよい。このように構成することで、単なるガス使用量だけでなく、家庭全般を見守るシステムとして構築することが可能となる。
また、集中監視センターには限定されず、本実施の形態の集中監視センターは、クラウドのサーバや、センターのサーバ等の様々な形態のサーバを全て含むものである。
【００６０】
［ガス検針ロボット１を使用したガス自動検針システム１００］
次に、本実施形態に係るガス検針ロボット１を使用したガス自動検針システム１００について、図１１を参照しながら説明する。
【００６１】
従来のガス集中監視システムにおいては、需要家の事業所や自宅にＮＣＵ（Ｎｅｔｗｏｒｋ  Ｃｏｎｔｒｏｌ  Ｕｎｉｔ；伝送装置）を設置し、ＮＣＵを介して電話回線あるいは無線でガスメータの情報を集中監視センターへ送信するという構成であった。
【００６２】
そして、ガスの異常と判断されると、集中監視センターが需要家に電話で確認をし、必要に応じてスタッフを派遣するという形態であった。
【００６３】
ここで、ガスの異常の判断は、ＮＣＵから定期的に送信されるガスメータの情報であるガスの使用量を元に判断されるものであるため、その判断を行うためのスタッフが集中監視センターに常駐する必要があり、人的コストが過大となるという問題があった。
なお、ガスの異常の判断は、ＮＣＵから定期的に送信されるガスメータの情報であるガスの残量を元に判断されるようにしても良い。
また、ガスメータがＮＣＵに通知したデータは、集中監視センターにて確認されることで、ガスの異常の判断が行われる。
【００６４】
また、ガス供給インフラにまつわる課題として、人手不足によるガス検針業務の負担が増大していること、及び、ガスボンベの配送負担が増大している。さらに、集中監視システム導入のランニングコストが高く、小規模事業者が参入することが困難であることが挙げられ、また、ガスボンベを使用するＬＰガスの利用者には高齢者が比較的多く、ガスの使用状況を逐一把握することを通じて高齢者の見守りを行いたいという要望があった。
【００６５】
以上のような課題を鑑み、本発明では、人手を介さず直接的にガスの監視を行うことができるガス自動検針システムを提供することを第二の目的とする。
【００６６】
本発明におけるガス自動検針システム１００においては、上記ガス検針ロボット１を用いて構成されるものであり、具体的には下記のように構成される。
【００６７】
本発明におけるガス自動検針システム１００は、各需要家に設置されるガス検針ロボット１と、サーバ１１０と、ガス事業者に設置される回転警告灯や点滅警告灯等の警告灯１２０と、需要家が所有する通信可能なデバイス１３０によって構成される。上述した本願発明におけるガス検針ロボット１が、各需要家に既に設置されているガスメータに設置されている。
【００６８】
各ガスメータは、自らの異常を検知した場合に、自身に設置されたガス検針ロボット１に異常があったことを通知する。ガス検針ロボット１は、ガスメータから異常があったことが通知されると、異常があったことをサーバ１１０に通報する手段を有する。
【００６９】
サーバ１１０は、ガス検針ロボット１からの通報を受け、需要家が所有するデバイス１３０に対し、ガスメータに異常が発生したことを通報する手段を有する。なお、サーバ１１０が、外部機器の一例であるデバイス１３０に対し、メールでガスメータに異常が発生したことを通報するようにしても良い。
また、サーバ１１０は、外部機器の一例である需要家のスマートフォン等の携帯端末や、家庭に設置されるモニタにガスメータに異常が発生したことを通報する。
【００７０】
需要家が所有するデバイス１３０に対する通報は、外部機器の一例である需要家が所有するスマートフォン等の携帯端末にインストールされた専用アプリへの通報、需要家が所有するスマートフォン等の携帯端末へのメールによる通知、需要家が所有するスマートフォン等の携帯端末へのＳＮＳ（Ｓｏｃｉａｌ  Ｎｅｔｗｏｒｋｉｎｇ  Ｓｅｒｖｉｃｅ）を介した通知、または、需要家の自宅や事業所に設置されるスピーカへの通報によって行う。
【００７１】
また、サーバ１１０は、需要家へ通報する手段を有するとともに、当該需要家にガス事業者・保安事業者・販売事業者への通報も行う手段を有する。その際、ガス事業者に設置される警告灯１２０に通報を行うようにする。ガス事業者に設置される警告灯１２０は、警告灯本体１２１、無線通信モジュール１２２、及び、マイコン１２３より構成される。すなわち、ガス事業者に設置される無線通信モジュール１２２がサーバ１１０からの通報を受け、マイコン１２３が信号処理を行い、その通報の出どころとなった需要家の特定や発生時刻等の特定を行うとともに、警告灯本体１２１を作動してガス事業者のスタッフに通知を行う。
【００７２】
そして、ガス事業者のスタッフは、サーバ１１０からの通報を受け付けると、需要家に電話で確認を行い、必要に応じて需要家へスタッフを派遣する。
【００７３】
以上のように構成することで、２４時間体制でスタッフを待機させる集中監視センターを介することなくガスの監視を自動で行うことが可能となり、人的コストを大幅に削減することができるとともに、単なるガスの監視だけでなく高齢者の見守り機能をも有するガス自動検針システム１００を提供することが可能となる。例えば、サーバ１１０は、ガスの使用を所定期間（例えば１日）以上確認できなかった場合に、需要家に異常が発生したいと判定する。
【００７４】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７５】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００７６】
１          ガス検針ロボット
１０      ケーシング
１４      リブ
１４ｔ  リブ切り欠き部
２０      端子
３０      太陽光発電パネル
４０      センサ
５０      アンテナ
６０      電池
７０      基板
７０ｔ  基板切り欠き
８０      制御部
【図１】
2020173096.tif 000003
【図２】
2020173096.tif 000004
【図３】
2020173096.tif 000005
【図４】
2020173096.tif 000006
【図５】
2020173096.tif 000007
【図６】
2020173096.tif 000008
【図７】
2020173096.tif 000009
【図８】
2020173096.tif 000010
【図９】
2020173096.tif 000011
【図１０】
2020173096.tif 000012
【図１１】
2020173096.tif 000013
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
既設のガスメータと通信可能に接続され、無線通信を使用して外部機器と通信を行う通信機器を備えたガス検針ロボットであって、
前記ガスメータとの間でガス指針値に関するデータの通信を行う通信線が接続される端子と、
前記外部機器とデータの送受信を行う無線機器と、
前記ガスメータ及び前記外部機器との間の信号の処理及びデータの記憶を行う制御部と、
ガス検針ロボットを駆動する電池と、
前記制御部及び前記電池を内部に収納し、前記無線機器及び前記端子を内部又は表面に設置するケーシングとを備え、
前記ケーシング表面に太陽光発電パネルを備え、
前記電池及び前記太陽光発電パネルは自身が駆動するための電力を供給し、
前記ケーシングの内部に設置される大気の温度と、圧力と、湿度等の環境情報と、加速度との少なくともいずれか一つ以上に関する情報を検知可能なセンサをさらに備え、
前記センサは、前記ケーシングの裏面に設けられた吸気口を介して導入された外気に関する情報を計測する、ガス検針ロボット。
【請求項２】
前記ケーシング内に前記制御部を設置するための基板をさらに備え、
前記基板には、前記電池が設置される部位に対応する位置に、該基板の一部に切り欠きが設けられており、
前記電池は前記切り欠きにおいて前記基板が配設される高さよりも低い位置に配設される、請求項１に記載のガス検針ロボット。
【請求項３】
前記ケーシングの裏面には複数のリブが設けられており、前記ケーシングの端部から略平行に設けられる二本のリブによって、前記吸気口に連通する外気導入溝が形成される、請求項２に記載のガス検針ロボット。
【請求項４】
請求項１〜３のいずれか一項に記載のガス検針ロボットを用いたガス自動検針システムであって、
前記ガス検針ロボットと、ガス事業者に設置される警告灯と、需要家が所有する通信可能なデバイスと、前記ガス検針ロボット、前記警告灯及び前記デバイスと通信可能なサーバとによって構成され、
前記ガス検針ロボットは、前記ガスメータから異常があったことを通知されると、異常があったことをサーバに通報する手段を有し、
前記サーバは、前記ガス検針ロボットからの異常の通報を受け、前記需要家が所有する前記デバイスへガスメータに異常が発生したことを通報する手段、及び、当該需要家にガスを供給するガス事業者に設置される警告灯へ通報を行う手段を有する、ガス自動検針システム。
【請求項５】
アンテナが、ケーシングの外部に設けられている、請求項１に記載のガス検針ロボット。
【請求項６】
前記基板の下側が二本のビスにより固定され、前記切り欠きが、ケーシングの下面に形成される嵌合部に嵌合される、請求項２に記載のガス検針ロボット。
【請求項７】
ケーシングの上側の斜面沿って、前記太陽光発電パネルが設けられる、請求項１に記載のガス検針ロボット。
【請求項８】
既設のガスメータと通信可能に接続され、無線通信を使用して外部機器と通信を行う通信機器を備えたガス検針ロボットであって、
前記ガスメータとの間でガス指針値に関するデータの通信を行う通信線が接続される端子と、
前記外部機器とデータの送受信を行う無線機器と、
前記ガスメータ及び前記外部機器との間の信号の処理及びデータの記憶を行う制御部と、
前記制御部を内部に収納し、前記無線機器及び前記端子を内部又は表面に設置するケーシングと、
前記ケーシングの内部に設置される大気の温度と、圧力と、湿度等の環境情報と、加速度との少なくともいずれか一つ以上に関する情報を検知可能なセンサをさらに備え、
前記センサは、前記ケーシングの裏面に設けられた吸気口を介して導入された外気に関する情報を計測する、ガス検針ロボット。